【事件の表示】
　特願２００１−３５５０９５「画像処理方法、画像処理装置」拒絶査定不服審判事件〔平成１５年　５月３０日出願公開、特開２００３−１５８７４８〕について、次のとおり審決する。
【結　論】
　本件審判の請求は、成り立たない。
【理　由】
第１　経緯
　１　経緯
　本願は、平成１３年１１月２０日の出願であって、平成１９年１月２２日付けで拒絶理由が通知され、これに対し、平成１９年４月２日付けで意見書が提出されると同時に手続補正がなされたが、平成１９年５月１日付け（発送日同年５月８日）で拒絶査定がなされたものである。
　本件は、本願についてなされた上記拒絶査定を不服として平成１９年６月７日付けで請求された拒絶査定不服審判であって、平成１９年７月９日付けで手続補正がなされたものである。
　
　２　査定の概要
　原査定の理由は、概略、次のとおりである。
　
［査定の理由］
　請求項１及び請求項２に係る発明は、下記の刊行物に記載された発明に基いて、当業者が容易に発明をすることができたものであるから、特許法第２９条第２項の規定により特許を受けることができない。
記
　引用文献１：特開平１１−１６８７５２号公報
　引用文献２：特開平５−３１６４７９号公報（査定時の周知技術）
　引用文献３：特開２００１−１９７４５１号公報（査定時の周知技術）
　
第２　補正却下の決定
　平成１９年７月９日付けの手続補正について次のとおり決定する。
　
［補正却下の決定の結論］
　平成１９年７月９日付けの手続補正を却下する。
　
［理由］
　１　補正の内容
　　平成１９年７月９日付けの手続補正（以下「本件補正」という。）は、請求項１及び請求項２についてする補正を含むものである。
　
　　補正前の請求項１及び請求項２
「　【請求項１】　透明度を有する画素から成る画像データの画素間の補間処理を実行して該画像データを拡大又は縮小する拡大縮小処理手順と、上記拡大縮小処理手順により拡大又は縮小された画像データを他の画像データと重畳して出力する合成処理手順を有する画像処理方法であって、
　上記拡大縮小処理手順は、
　互いに異なる透明度を有する２つの原画素から複数の補間画素を得る場合に、該複数の補間画素のうちの個々の補間画素と２つの原画素とのそれぞれの距離に応じた比重に基づいて、該２つの原画素のうちから１つの原画素を選択し、選択された原画素が有する透明度値を上記個々の補間画素に対して設定する
　ことを特徴とする画像処理方法。
　　【請求項２】　透明度を有する画素から成る画像データの画素間の補間処理を実行して該画像データを拡大又は縮小する拡大縮小処理手段と、上記拡大縮小処理手段により拡大又は縮小された画像データを他の画像データと重畳して出力する合成処理手段を有する画像処理装置であって、
　上記拡大縮小処理手段は、
　互いに異なる透明度を有する２つの原画素から複数の補間画素を得る場合に、該複数の補間画素のうちの個々の補間画素と２つの原画素とのそれぞれの距離に応じた比重及び該２つの原画素の透明度値に基づいて、該２つの原画素のうちから１つの原画素を選択し、選択された原画素が有する透明度値を上記個々の補間画素に対して設定する
　ことを特徴とする画像処理装置。」
　
を、次のとおり補正後の請求項１及び請求項２に補正するものである。
　
「　【請求項１】　透明度を有する画素から成る画像データの画素間の補間処理を実行して該画像データを拡大又は縮小する拡大縮小処理手順と、上記拡大縮小処理手順により拡大又は縮小された画像データを他の画像データと重畳して出力する合成処理手順を有する画像処理方法であって、
　上記拡大縮小処理手順は、
　互いに異なる透明度を有する２つの原画素から複数の補間画素を得る場合に、
（１）画素の選択については、該複数の補間画素のうちの個々の補間画素と２つの原画素とのそれぞれの距離に応じた比重に基づいて、該２つの原画素のうちから１つの原画素を選択し、
（２）透明度の選択については、該複数の補間画素のうちの個々の補間画素と２つの原画素とのそれぞれの距離に応じた比重に基づいて透明度値を上記個々の補間画素に対して設定する
　ことを特徴とする画像処理方法。
　　【請求項２】　透明度を有する画素から成る画像データの画素間の補間処理を実行して該画像データを拡大又は縮小する拡大縮小処理手段と、上記拡大縮小処理手段により拡大又は縮小された画像データを他の画像データと重畳して出力する合成処理手段を有する画像処理装置であって、
　上記拡大縮小処理手段は、
　互いに異なる透明度を有する２つの原画素から複数の補間画素を得る場合に、
（１）画素の選択については、該複数の補間画素のうちの個々の補間画素と２つの原画素とのそれぞれの距離に応じた比重に基づいて、該２つの原画素のうちから１つの原画素を選択し、
（２）透明度の選択については、該複数の補間画素のうちの個々の補間画素と２つの原画素とのそれぞれの距離に応じた比重に基づいて透明度値を上記個々の補間画素に対して設定する
　ことを特徴とする画像処理装置。」
　
　２　補正の適合性
　　本件補正は、請求項の削除、特許請求の範囲の減縮、誤記の訂正又は明りょうでない記載の釈明を目的とするものとは認められない。
　その理由は、以下のとおりである。
　本件補正は、補正前の請求項１の「拡大縮小処理手順」における
「該複数の補間画素のうちの個々の補間画素と２つの原画素とのそれぞれの距離に応じた比重に基づいて、該２つの原画素のうちから１つの原画素を選択し、選択された原画素が有する透明度値を上記個々の補間画素に対して設定する」を
「（１）画素の選択については、該複数の補間画素のうちの個々の補間画素と２つの原画素とのそれぞれの距離に応じた比重に基づいて、該２つの原画素のうちから１つの原画素を選択し、
（２）透明度の選択については、該複数の補間画素のうちの個々の補間画素と２つの原画素とのそれぞれの距離に応じた比重に基づいて透明度値を上記個々の補間画素に対して設定する」
とするもの、及び
　補正前の請求項２の「拡大縮小処理手段」における
「該複数の補間画素のうちの個々の補間画素と２つの原画素とのそれぞれの距離に応じた比重及び該２つの原画素の透明度値に基づいて、該２つの原画素のうちから１つの原画素を選択し、選択された原画素が有する透明度値を上記個々の補間画素に対して設定する」を
「（１）画素の選択については、該複数の補間画素のうちの個々の補間画素と２つの原画素とのそれぞれの距離に応じた比重に基づいて、該２つの原画素のうちから１つの原画素を選択し、
（２）透明度の選択については、該複数の補間画素のうちの個々の補間画素と２つの原画素とのそれぞれの距離に応じた比重に基づいて透明度値を上記個々の補間画素に対して設定する」
とするものである。
　「透明度値」について、補正前は「選択された原画素が有する透明度値を上記個々の補間画素に対して設定する」のに対し、補正後は「該複数の補間画素のうちの個々の補間画素と２つの原画素とのそれぞれの距離に応じた比重に基づいて透明度値を上記個々の補間画素に対して設定する」となった。
　「該複数の補間画素のうちの個々の補間画素と２つの原画素とのそれぞれの距離に応じた比重に基づいて透明度値を上記個々の補間画素に対して設定する」ことは、「透明度値」を「該複数の補間画素のうちの個々の補間画素と２つの原画素とのそれぞれの距離に応じた比重に基づいて」設定することであり、補正前の「選択された原画素が有する透明度値を上記個々の補間画素に対して設定する」こととは明らかに異なり、発明を特定するために必要な事項を限定するものとは認められない。
　請求人は、審判請求書の理由において、「本願発明の特徴は、・・・透明度の選択については、複数の補間画素のうちの個々の補間画素と２つの原画素とのそれぞれの距離に応じた比重に基づいて透明度値を上記個々の補間画素に対して設定する（中間値をとる）点にあるものである。」と主張しているが、補正前の「選択された原画素が有する透明度値を上記個々の補間画素に対して設定する」ものにおいては、透明度値が「中間値」をとることはなく、この主張によれば、本件補正は特許請求の範囲の変更であり、補正後のものが発明を特定するために必要な事項を限定するものとは認められない。
　また、本件補正は、請求項の削除ではなく、誤記の訂正でもない。
　そして、補正前の請求項１及び２の記載は明りょうであり、しかも、拒絶理由通知に係る拒絶の理由に示す事項についてするものでもなく、明りょうでない記載の釈明（拒絶理由通知に係る拒絶の理由についてするものに限る。）とも認められない。
　　
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　よって、補正却下の決定の結論のとおり決定する。
　　
第３　本願発明について
　１　本願発明
　　平成１９年７月９日付けの手続補正は、上記のとおり却下されたので、本願の請求項１及び請求項２に係る発明は、平成１９年４月２日付け手続補正により補正された明細書及び図面の記載からみて、その特許請求の範囲の請求項１及び請求項２に記載した事項により特定されるとおりのものであるところ、請求項２に係る発明（以下「本願発明」という。）は次のとおりである。
　　
「透明度を有する画素から成る画像データの画素間の補間処理を実行して該画像データを拡大又は縮小する拡大縮小処理手段と、上記拡大縮小処理手段により拡大又は縮小された画像データを他の画像データと重畳して出力する合成処理手段を有する画像処理装置であって、
　上記拡大縮小処理手段は、
　互いに異なる透明度を有する２つの原画素から複数の補間画素を得る場合に、該複数の補間画素のうちの個々の補間画素と２つの原画素とのそれぞれの距離に応じた比重及び該２つの原画素の透明度値に基づいて、該２つの原画素のうちから１つの原画素を選択し、選択された原画素が有する透明度値を上記個々の補間画素に対して設定する
　ことを特徴とする画像処理装置。」
　
　２　引用文献
　　原査定の拒絶の理由に引用された引用文献１（特開平１１−１６８７５２号公報）には、「画像合成装置及び画像合成方法」（発明の名称）に関し、図面と共に次に揚げる事項が記載されている。
「　　【０００１】
　　【発明の属する技術分野】
　この発明は、画像合成装置及び画像合成方法に係り、さらに詳しくは、ＮＴＳＣ方式、ＰＡＬ方式などのアナログ画像と、画素数の異なるデジタル画像とを、各画素の透明度を表すデータに基づいて合成し、アナログ画像を生成する画像合成装置に関するものである。」
　　
「　　【００１９】
　　【発明が解決しようとする課題】
　図１１に示した従来の画像切り換え再生装置は、デジタル画像（画像データソース）及びアナログ映像（ＮＴＳＣ信号やＰＡＬ信号）を切り換え選択し、いずれか一方を出力するものである。このため、デジタル画像が各画素ごとに透明度を指定しているデータであっても、意図された透明度を反映しつつ、デジタル画像とアナログ映像とを合成することはできないという問題があった。
　　　【００２０】
　この発明は上記のような問題点を解決するためになされたもので、アナログ映像信号の画素数とは異なる画素数で構成され、画素毎に透明度が指定されたデジタル画像を、意図された画素の透明度を反映してアナログ映像信号と合成する画像合成装置を提供することを目的とする。」
　　
「　　【００５０】
　　【発明の実施の形態】
　以下、この発明をその実施の形態を示す図面に基づいて具体的に説明する。
実施の形態１．
　図１はこの発明の実施の形態１である画像合成装置の一構成例を示したブロック図である。図１において、１はソースとなる画像データを入力し記憶するソースデータ格納メモリ、２はソースデータ格納メモリ１の入出力を制御するメモリコントローラ、１０はソースデータ格納メモリ１から出力される画素データから画素の透明度を表すαデータを分離し、透明画素を指定する信号（透明指定信号）に応じてαデータを加工して出力するデータ分離回路である。
　　　【００５１】
　３はソースデータ格納メモリ１に記憶されている画素データが色のデータを指定するアドレスである場合に、このアドレスを入力とし、指定されたアドレスに応じてＲＧＢデータを出力する色データＬＵＴ、１１は色データＬＵＴ３の出力およびソースデータ格納メモリ１に記憶されている画素データが色のデータである場合にデータ分離回路１０から出力される画素の色データを入力とし、ソースデータ格納メモリ１に格納されたソースデータのフォーマットに応じて出力すべき画素のＲＧＢデータを選択して出力するデータ切り換え回路である。」
　　
「　　【００５３】
　・・・１５はαデータ垂直方向変換フィルタ１４の出力を入力とし、ＮＴＳＣまたはＰＡＬのデータレートに変換された画素の輝度データおよび色差データとのタイミングを調整する遅延回路である。
　　　【００５４】
　・・・１７は輝度・色差信号生成マトリクス８の出力と透明・半透明切り換え回路１６の出力およびＮＴＳＣ信号またはＰＡＬ信号を生成するよう外部から入力されたＶｉｄｅｏデータを入力とし、これらのデータをもとに、出力すべき画素の輝度および色差データを計算して出力するαブレンディング回路である。」
　　
「　　【００７４】
　αブレンディング回路１７は輝度・色差信号生成マトリクス８の出力と透明・半透明切り換え回路１６の出力およびＮＴＳＣ信号またはＰＡＬ信号を生成するよう外部から入力されたＶｉｄｅｏデータを入力とし、これらのデータをもとに、出力すべき画素の輝度および色差データを計算して出力する。但し、この時の各入力信号は出力画面上の同一の画素データを表すよう遅延調整されている。αブレンディング回路１７から出力されるデータは、式（２）のようにして計算される。
　　　【００７５】
　　ＯＵＴ＝α×Ｇ＋（１−α）×Ｖ　　　　　　　　　　　　　（２）
　　　【００７６】
　式（２）において、αはαデータ、Ｇはソースデータを画角変換し、輝度・色差データに変換したデータ、Ｖは外部から入力されるＶｉｄｅｏデータで、ＯＵＴは出力データである。」
　　
「　　【０１２５】
実施の形態５．
　以上の実施の形態では、画面の垂直方向の画角変換に関しサンプリング周波数変換を用いる画像合成装置において、画素毎に指定してあるαデータを再生画像に反映させるべく、αデータに対しても垂直方向のサンプリング周波数変換を行うよう構成されたものであるが、次に、画面の垂直方向の画角変換を、１フレーム内で垂直方向に隣接する画素間の補間データの生成とそれに対応した画素データの読み出しタイミング制御で実現する画像合成装置において、画素毎に指定してあるαデータを再生画像に反映させることが可能な実施の形態を示す。
　　　【０１２６】
　図８はこの発明の実施の形態５である画像合成装置の一構成例を示したブロック図である。図８において、１〜３、８、１０、１１、１５〜１７、２０、２１、２５、２８および２９は、実施の形態４で示したものと同様のものである。３０はＮＴＳＣまたはＰＡＬの水平同期信号および垂直同期信号をもとに、メモリコントローラ２を制御する水平・垂直読み出し制御信号生成回路、３１はＮＴＳＣまたはＰＡＬの水平同期信号および垂直同期信号をもとに、画面の水平・垂直方向の画素間の補間回路における補間係数を制御する水平・垂直方向補間係数コントローラである。
　　　【０１２７】
　また、３２はデータ切り換え回路１１の出力を入力とする遅延部、・・・３５はデータ分離回路１０の出力のうちαデータを入力とする遅延部、３６はαデータ水平方向選択回路２９の出力を入力とする遅延部、（略）
　　　【０１２８】
　次に動作について説明する。１フレーム内で垂直方向に隣接する画素から補間データを計算して垂直方向の画角変換を行う場合、入力される画素データは補間係数の変化と厳密に対応して入力されなければならない。これは実施の形態４の水平方向のデータ補間の場合と同様である。また、この時の垂直方向の補間係数はＮＴＳＣまたはＰＡＬの垂直同期信号を基準に画面の位置にしたがって変化する。
　　　【０１２９】
　水平・垂直読み出し制御信号生成回路３０では、 ＮＴＳＣまたはＰＡＬの水平同期信号および垂直同期信号をもとに、ソースデータ格納メモリ１に格納されたデータの画面水平方向の読み出しタイミングおよび垂直方向の読み出しタイミングをコントロールするための信号を生成しメモリコントローラ２に出力する。メモリコントローラ２では、この制御信号に従ってソースデータ格納メモリ１のデータを読み出す。
　　　【０１３０】
　この場合、ソースデータ格納メモリ１から出力される画素データは、現在の画素データとそのデータに対して１フレーム内で垂直方向に隣接している画素データが交互に出力されるように制御される。但し、垂直方向の補間係数によっては、現在の画素データが連続して出力される場合もある。
　　　【０１３１】
　水平・垂直方向補間係数コントローラ３１は、ＮＴＳＣまたはＰＡＬの水平同期信号および垂直同期信号をもとに、画面の水平方向および垂直方向に隣接する画素間の補間係数を制御するための信号を生成する。水平・垂直読み出し制御信号生成回路３０の出力と水平・垂直方向補間係数コントローラ３１の出力は、水平方向および垂直方向の画角変換を実現するために厳密に対応している。
　　　【０１３２】
　遅延部３２は、データ切り換え回路１１の出力を入力とし、入力される画素のＲＧＢデータに対して水平方向に１画素分の遅延を与え、水平方向補間回路２５に出力する。水平方向補間回路２５では、水平・垂直方向補間係数コントローラ３１から出力される水平方向の補間係数制御信号をもとに、データ切り換え回路１１の出力データと遅延部３２の出力データの補間データを計算して出力する。」
　　
「　　【０１３４】
　遅延部３５は、データ分離回路１０から出力されるαデータに対して水平方向に１画素分の遅延を与え、αデータ水平方向選択回路２９に出力する。水平補間係数重み判別回路２８では、水平・垂直方向補間係数コントローラ３１から出力される水平方向の補間係数制御信号をもとに現在の補間係数の重みを判別し、２値データとして出力する。つまり、補間係数の制御信号をもとに、補間値として計算されるαデータの大きさが入力される２つのαデータのどちらに近いかを判断し、その結果を２値データとして出力する。
　　　【０１３５】
　遅延部３６は、αデータ水平方向選択回路２９の出力を遅延し、αデータ水平方向選択回路２９から出力される画素のαデータに対して垂直方向に隣接するαデータを出力する。・・・」
　　
「　　【０１３８】
 実施の形態６．
　実施の形態５では、ＲＧＢデータから輝度データおよび色差データを生成する前に、画面の垂直方向の画角変換を行ったが、画面の垂直方向の画角変換を行う前に、ＲＧＢデータから輝度データおよび色差データを生成するように構成してもよい。このような構成の実施の形態を以下に示す。
　　　【０１３９】
　図９はこの発明の実施の形態６である画像合成装置の一構成例を示したブロック図である。図９において、１〜３、８、１０、１１、１５〜１７、２０、２１、２５、２８〜３２および３５〜３７は、実施の形態５で示したものと同様である。但し、輝度・色差信号生成マトリクス８は水平補間回路２５の出力を入力とする。３３ｂは輝度・色差信号生成マトリクス８の出力を入力とする遅延部、３４ｂは輝度・色差信号生成マトリクス８および遅延部３３ｂの出力を入力とする垂直方向補間回路である。
　　　【０１４０】
　次に動作について説明する。遅延部３３ｂは、輝度・色差信号生成マトリクス８の出力を遅延し、輝度・色差信号生成マトリクス８から出力される画素の輝度データおよび色差データに対して垂直方向に隣接する輝度データおよび色差データを出力する。但し、輝度データは１つの画素に対して１つのデータ、色差データは２つの画素に対して１つのデータを有するため、色差データのデータレートは輝度データのデータレートの半分となる。
　　　【０１４１】
　垂直方向補間回路３４ｂは、水平・垂直方向補間係数コントローラ３１から出力される垂直方向の補間係数制御信号をもとに、輝度・色差信号生成マトリクス８から出力される輝度データおよび色差データと遅延部３３ｂから出力される輝度データおよび色差データの補間データを計算してそれぞれ出力する。この場合、各色差データは輝度データに比べて信号レートが半分となるため、２つの色差データを時間方向に多重し、信号レートを輝度信号と同一にしてからそれぞれの補間データを計算する。この時の補間係数は、垂直方向の画角変換の変換率と垂直方向の画面上の位置に依存して変化する。」
　　
「　　【０１４３】
実施の形態７．
　実施の形態６では、αデータの垂直方向のレート変換を、垂直方向の補間回路とエッジ検出回路・エッジ再生回路によって実現したが、これをαデータの垂直方向の選択回路で実現してもよい。このような構成の実施の形態を以下に示す。
　　　【０１４４】
　図１０はこの発明の実施の形態７である画像合成装置の一構成例を示したブロック図である。図１０において、１〜３、８、１０、１１、１５、１７、２５、２８〜３２、３３ｂ、３４ｂ、３５および３６は、実施の形態６で示したものと同様のものである。３８は水平・垂直方向補間係数コントローラ３１の出力のうち、垂直方向の補間係数制御信号を入力とする垂直補間係数重み判別回路、３９は垂直補間係数重み判別回路３８、αデータ水平方向選択回路２９および遅延部３６の出力を入力とするαデータ垂直方向選択回路である。
　　　【０１４５】
　次に動作について説明する。垂直補間係数重み判別回路３８は、水平・垂直方向補間係数コントローラ３１から出力される垂直方向の補間係数の制御信号をもとに現在の補間係数の重みを判別し、２値データとして出力する。つまり、補間係数の制御信号をもとに、補間値として計算されるαデータの大きさが入力される２つのαデータのうちどちらの値に近いかを判断し、その結果を２値データとして出力する。αデータ垂直方向選択回路３９は、垂直補間係数重み判別回路３８から出力される２値データをもとに、入力される２つの隣接画素のαデータのうちいずれか一方を選択して出力する。αデータ垂直方向選択回路３９の出力は、画面の水平・垂直方向にレート変換されたαデータとして、遅延回路１５に出力される。
　　　【０１４６】
　以上のように、垂直方向の画角変換で用いる補間係数の重みを判別し、その大きさによって隣接画素のαデータを切り換えて出力するように構成したため、簡単な回路構成でαデータの垂直方向のレート変換を実現することができる。
　　　【０１４７】
　また、垂直方向の画角変換で用いる補間係数の重みを判別し、その大きさによって隣接画素のαデータを切り換えて出力するように構成したため、αデータの垂直方向のデータレート変換で生じる高周波数成分の減衰を抑えることができ、垂直エッジ再生のための回路を付加することなくデータレート変換を行うことができる。」
　　
　３　対比
　（１）引用文献１に記載された発明
　　引用文献１に記載された画像合成装置は、「アナログ映像信号の画素数とは異なる画素数で構成され、画素毎に透明度が指定されたデジタル画像を、意図された画素の透明度を反映してアナログ映像信号と合成する画像合成装置を提供することを目的とする」（段落【００２０】）ものであり、引用文献に記載された実施の形態７に基づいて引用発明を認定する。実施の形態７の画像合成装置の一構成例は図１０に記載されている。各構成要素と、上記記載との対応は次のとおりである。
　　
《実施の形態７の画像合成装置の構成》
　ソースデータ格納メモリ１　【００５０】【００５１】
　メモリコントローラ２　【００５０】
　色データＬＵＴ３　【００５１】
　輝度・色差信号生成８　【００５４】【０１４０】【０１４１】
　データ分離回路１０　【００５０】【００５１】【１２７】
　データ切り換え回路１１　【００５１】【０１３２】
　遅延回路１５　【００５３】
　αブレンディング回路１７　【００５４】【００７４】
　水平方向補間回路２５　【０１３２】
  水平補間係数重み判別回路２８　【０１３４】
　αデータ水平方向選択回路２９　【０１２７】【０１３４】【０１３５】
　水平・垂直読み出し制御信号生成回路３０　【０１２６】【０１２９】
　水平・垂直方向補間係数コントローラ３１　【０１２６】【０１３１】【０１３２】【０１３４】
　遅延部３２　【０１２７】【０１３２】【０１３２】
　遅延部３３ｂ　【０１３９】〜【０１４１】
　垂直方向補間回路３４ｂ　【０１３９】【０１４１】
　遅延部３５　【０１２７】【０１３４】
　遅延部３６　【０１２７】【０１３５】【０１４４】
　垂直補間係数重み判断回路３８　【０１４４】【０１４５】
　αデータ垂直方向選択回路３９　【０１４４】【０１４５】
　　
（画素データ、透明度）
　「１０はソースデータ格納メモリ１から出力される画素データから画素の透明度を表すαデータを分離し、透明画素を指定する信号（透明指定信号）に応じてαデータを加工して出力するデータ分離回路である」（【００５０】）から、ソースデータ格納メモリ１には画素データが格納されており、画素データには透明度を表すαデータが含まれる。
　　
（補間）
　引用文献１に記載された画像合成装置は、「ＮＴＳＣ方式、ＰＡＬ方式などのアナログ画像と、画素数の異なるデジタル画像とを、各画素の透明度を表すデータに基づいて合成し、アナログ画像を生成する画像合成装置に関するものであ」（【０００１】）り、実施形態７の画像合成装置は、上記《実施の形態７の画像合成装置の構成》の構成要素からなり、αブレンディング回路１７以外の構成は、特に、水平方向補間回路２５、垂直方向補間回路３４ｂ、水平補間係数重み判定回路２８、αデータ水平方向選択回路２９、垂直補間係数重み判定回路３８、αデータ垂直方向選択回路３９からなる。
　　
「水平方向補間回路２５では、水平・垂直方向補間係数コントローラ３１から出力される水平方向の補間係数制御信号をもとに、データ切り換え回路１１の出力データと遅延部３２の出力データの補間データを計算して出力する。」（段落【０１３２】）
「垂直方向補間回路３４ｂは、水平・垂直方向補間係数コントローラ３１から出力される垂直方向の補間係数制御信号をもとに、輝度・色差信号生成マトリクス８から出力される輝度データおよび色差データと遅延部３３ｂから出力される輝度データおよび色差データの補間データを計算してそれぞれ出力する。」（段落【０１４１】）
「遅延部３５は、データ分離回路１０から出力されるαデータに対して水平方向に１画素分の遅延を与え、αデータ水平方向選択回路２９に出力する。水平補間係数重み判別回路２８では、水平・垂直方向補間係数コントローラ３１から出力される水平方向の補間係数制御信号をもとに現在の補間係数の重みを判別し、２値データとして出力する。つまり、補間係数の制御信号をもとに、補間値として計算されるαデータの大きさが入力される２つのαデータのどちらに近いかを判断し、その結果を２値データとして出力する。」（段落【０１３４】）
「遅延部３６は、αデータ水平方向選択回路２９の出力を遅延し、αデータ水平方向選択回路２９から出力される画素のαデータに対して垂直方向に隣接するαデータを出力する。」（段落【０１３５】）
「垂直補間係数重み判別回路３８は、水平・垂直方向補間係数コントローラ３１から出力される垂直方向の補間係数の制御信号をもとに現在の補間係数の重みを判別し、２値データとして出力する。つまり、補間係数の制御信号をもとに、補間値として計算されるαデータの大きさが入力される２つのαデータのうちどちらの値に近いかを判断し、その結果を２値データとして出力する。αデータ垂直方向選択回路３９は、垂直補間係数重み判別回路３８から出力される２値データをもとに、入力される２つの隣接画素のαデータのうちいずれか一方を選択して出力する。αデータ垂直方向選択回路３９の出力は、画面の水平・垂直方向にレート変換されたαデータとして、遅延回路１５に出力される。」（段落【０１４５】）
　　
　以上より、実施形態７の画像合成装置の「αブレンディング回路１７」以外の構成は、画像データから補間データを得るものであるから、実施形態７の画像合成装置は『画像データから補間データを得る手段』を有しているといえる。
　　
（合成）
　図１０より、αブレンディング回路１７は、Ｖｉｄｅｏデータ、垂直方向補間回路３４ｂの出力、αデータ垂直方向選択回路の出力を遅延回路１５で遅延したものを入力としている。
「αブレンディング回路１７から出力されるデータは、式（２）のようにして計算される。
　　ＯＵＴ＝α×Ｇ＋（１−α）×Ｖ　　　　　　　　　　　　　（２）
　式（２）において、αはαデータ、Ｇはソースデータを画角変換し、輝度・色差データに変換したデータ、Ｖは外部から入力されるＶｉｄｅｏデータで、ＯＵＴは出力データである。」（段落【００７４】〜【００７６】）
　上記（補間）の記載のとおり、実施形態７の画像合成装置の「αブレンディング回路１７」以外の構成は、『画像データから補間データを得る手段』といえるから、「αブレンディング回路１７」は、アナログ画像（Ｖｉｄｅｏデータ）と、『画像データから補間データを得る手段』からの補間データとを合成するものである。
　　
（αデータの選択）
　段落【０１３４】、段落【０１４５】には次の記載がある。
「水平補間係数重み判別回路２８では、水平・垂直方向補間係数コントローラ３１から出力される水平方向の補間係数制御信号をもとに現在の補間係数の重みを判別し、２値データとして出力する。つまり、補間係数の制御信号をもとに、補間値として計算されるαデータの大きさが入力される２つのαデータのどちらに近いかを判断し、その結果を２値データとして出力する。」【０１３４】
「垂直補間係数重み判別回路３８は、水平・垂直方向補間係数コントローラ３１から出力される垂直方向の補間係数の制御信号をもとに現在の補間係数の重みを判別し、２値データとして出力する。つまり、補間係数の制御信号をもとに、補間値として計算されるαデータの大きさが入力される２つのαデータのうちどちらの値に近いかを判断し、その結果を２値データとして出力する。αデータ垂直方向選択回路３９は、垂直補間係数重み判別回路３８から出力される２値データをもとに、入力される２つの隣接画素のαデータのうちいずれか一方を選択して出力する。」【０１４５】
　この記載から、αデータの選択は、補間係数の制御信号をもとに補間値として計算されるαデータの大きさが入力される２つのαデータのどちらの値に近いかを判断し、入力される２つのαデータのうちいずれか一方を選択して出力するものであり、この選択は、上記『画像データから補間データを得る手段』が行うものである。
　　
　以上より、引用文献１には、次の発明（以下「引用発明」という。）が記載されている。
　　
「透明度を表すαデータが含まれる画素データから補間データを得る手段と、アナログ画像と上記画素データから補間データを得る手段からの補間データとを合成するαブレンディング回路１７を有する、アナログ画像と画素数の異なるデジタル画像とを合成する画像合成装置であって、
　上記画素データから補間データを得る手段は、
　補間係数の制御信号をもとに補間値として計算されるαデータの大きさが入力される２つのαデータのどちらの値に近いかを判断し、入力される２つのαデータのうちいずれか一方を選択して出力する
　画像合成装置。」
　　
　（２）対比
　　ア　拡大縮小処理手段
　　　引用発明は、アナログ画像と画素数の異なるデジタル画像とを合成するものであり、「透明度を表すαデータが含まれる画素データから補間データを得る手段」は画素データから補間データを得るものであるところ、補間データを得ることは、画素数が変化し、画像サイズを変更することになるから、引用発明の「透明度を表すαデータが含まれる画素データから補間データを得る手段」は「透明度を有する画素から成る画像データの画素間の補間処理を実行して画像サイズを変更する処理手段」といえる。
　本願発明の「拡大縮小処理手段」は、「透明度を有する画素から成る画像データの画素間の補間処理を実行して該画像データを拡大又は縮小する」ものであり、拡大または縮小することは、「画像サイズを変更する処理」と言い得るから、「透明度を有する画素から成る画像データの画素間の補間処理を実行して画像サイズを変更する処理手段」としては、引用発明と相違しない。
　もっとも、「画像サイズを変更する」ことが、本願発明においては「画像データを拡大又は縮小する」ものであるのに対し、引用発明においては「画像データを拡大又は縮小する」ものでない点で相違する。
　　
　　イ　合成処理手段
　　　引用発明の「アナログ画像と上記画素データから補間データを得る手段からの補間データとを合成するαブレンディング回路１７」における「アナログ画像」は、「上記画素データから補間データを得る手段からの補間データ」とは異なる画像であるから、「他の画像データ」といえる。また、「αブレンディング回路１７」は、式「ＯＵＴ＝α×Ｇ＋（１−α）×Ｖ」{αはαデータ、Ｇはソースデータを画角変換し、輝度・色差データに変換したデータ、Ｖは外部から入力されるＶｉｄｅｏデータで、ＯＵＴは出力データ}（段落【００７４】〜【００７６】）の計算を行うから、補間データを他の画像データと重畳して出力しているといえる。
　したがって、引用発明の「アナログ画像と上記画素データから補間データを得る手段からの補間データとを合成するαブレンディング回路１７」は、画像サイズを変更する処理手段により処理された「画像データを他の画像データと重畳して出力する合成処理手段」といえるから、本願発明における画像サイズを変更する処理手段により処理された「画像データを他の画像データと重畳して出力する合成処理手段」と一致する。
　もっとも、上記アと同様に、「画像サイズを変更する」ことが、本願発明においては「画像データを拡大又は縮小する」ものであるのに対し、引用発明においては「画像データを拡大又は縮小する」ものでない点で相違する。
　　
　　ウ　画像処理装置
　　　画像合成は、画像処理ともいえるので、引用発明の「画像合成装置」は、「画像処理装置」といえる。
　　
　　エ　透明度値の設定
　　　「画像サイズを変更する処理手段」といえる引用発明の「画素データから補間データを得る手段」は、「補間係数の制御信号をもとに補間値として計算されるαデータの大きさが入力される２つのαデータのどちらの値に近いかを判断し、入力される２つのαデータのうちいずれか一方を選択して出力する」ものであり、補間データが１つではなく、複数あることは普通に想定できることであるから、「入力される２つのαデータのうちいずれか一方を選択して出力する」ことは、本願発明における「互いに異なる透明度を有する２つの原画素から複数の補間画素を得る場合に、該２つの原画素のうちから１つの原画素を選択し、選択された原画素が有する透明度値を上記個々の補間画素に対して設定する」ことといえる。
　もっとも、原画素を選択するのに、本願発明が「該複数の補間画素のうちの個々の補間画素と２つの原画素とのそれぞれの距離に応じた比重及び該２つの原画素の透明度値に基づいて」いるのに対し、引用発明が「補間値として計算されるαデータの大きさが入力される２つのαデータのどちらの値に近いかを判断」している点で相違する。
　　
　３　一致点、相違点
　　上記２（２）によれば、本願発明と引用発明との一致点、相違点は次のとおりである。
　　
［一致点］
　透明度を有する画素から成る画像データの画素間の補間処理を実行して画像サイズを変更する処理手段と、上記画像サイズを変更する処理手段により処理された画像データを他の画像データと重畳して出力する合成処理手段を有する画像処理装置であって、
　上記画像サイズを変更する処理手段は、
　互いに異なる透明度を有する２つの原画素から複数の補間画素を得る場合に、該２つの原画素のうちから１つの原画素を選択し、選択された原画素が有する透明度値を上記個々の補間画素に対して設定する
　ことを特徴とする画像処理装置。
　　
［相違点１］
　「画像サイズを変更する」ことが、本願発明においては「画像データを拡大又は縮小する」ものであるのに対し、引用発明においては「画像データを拡大又は縮小する」ものでない点。
　　
［相違点２］
　原画素を選択するのに、本願発明が「該複数の補間画素のうちの個々の補間画素と２つの原画素とのそれぞれの距離に応じた比重及び該２つの原画素の透明度値に基づいて」いるのに対し、引用発明が「補間値として計算されるαデータの大きさが入力される２つのαデータのどちらの値に近いかを判断」している点
　　
　４　判断
　（１）［相違点１］について
　　引用発明は、アナログ画像と画素数の異なるデジタル画像とを合成する画像合成装置であり、画素数が異なるものを合成するために、画素データから補間データを得るものである。引用文献１には、例として６４０×４８０画素の正方画素で１フレームを構成するデジタル画像データをＮＴＳＣまたはＰＡＬなどの画素数の異なるアナログ信号に変換することが記載され（段落【０００３】、【０００８】）、この記載は拡大の例であるが、デジタル画像データとしては画素数のさらに多いデータも想定できるから、縮小も考え得るものである。そうすると、引用発明は、拡大だけでなく、縮小も想定できるものである。
　画素データから補間データを得ることは、補間データの取り方により、拡大又は縮小処理することになるから、引用発明において「画像サイズを変更する」処理を「画像データを拡大又は縮小する」処理とすることは、当業者にとって容易に想到できたものである。
　　
　（２）［相違点２］について
　　補間値を求める場合に、距離に応じて線形補間することは、通常行われていることである（これには、査定時に周知技術として引用された上記引用文献２および３が参照される。）。引用文献１には、補間値を計算することの具体的な記載はないが、引用発明において補間値を計算するために、距離に応じて線形補間することは自然に想定できる。
　引用発明は、補間値を計算し、２つのαデータのうちの近い値を選んでおり、そうすると、距離に応じて線形補間して補間値を求め、２つのαデータのうちの近い値を選ぶことも想定できる。
　距離に応じて線形補間して補間値を求め、求められた補間値と２つのαデータのうちの近い値を選ぶことは、２つのデータとの距離に応じた比重及び２つのデータの透明度に基づいて、２つのデータのうちから１つのデータを選択することといえ、このことは、２つのαデータとの距離に応じた比重及び２つのαデータに基づいてデータが選択されるといえる。
　また、引用発明の画素データは、αデータが含まれるものであり、２つのαデータとの距離は、２つの画素データの距離であり、２つの原画素との距離といえ、さらに、２つのαデータは２つの原画素の透明度といえ、そして、補間値は２つのαデータの間に１つではなく複数あることも普通に想定できるから、距離に応じて線形補間して補間値を求め、求められた補間値と２つのαデータのうちの近い値を選ぶことは、「複数の補間画素のうちの個々の補間画素と２つの原画素とのそれぞれの距離に応じた比重及び該２つの原画素の透明度値に基づいて」原画素を選択することといえる。
　したがって、引用発明において、相違点２に係る構成とすることは、当業者にとって容易に想到できたものである。
　　
　（３）効果等
　　以上のように、相違点１、２に係る構成は、当業者が容易に想到できたものである。そして、本願発明の構成は、上記のとおり当業者が容易に想到できたものであるところ、本願発明が奏する効果は、その容易想到である構成から当業者が容易に予測し得る範囲内のものであり、同範囲を超える顕著なものでもない。
　したがって、本願発明は、引用文献１に記載された発明及び周知技術に基づいて当業者が容易に発明することができたものである。
　　
　５　まとめ
　　以上のとおり、請求項２に係る発明は、引用文献１に記載された発明及び周知技術に基づいて、当業者が容易に発明することができたものであるから、特許法２９条２項の規定により特許を受けることができない。
　したがって、請求項１に係る発明について検討するまでもなく、本願は拒絶されるべきものである。
　
　よって、結論のように審決する。